(57)【要約】【課題】製造も挿入操作も簡単にできて、コンクリート２０の固化時にも安定状態を維持することができ、しかも基礎等のコンクリート構造物の天端出しが簡単に行える天端位置決め具１０を提供すること。【解決手段】コンクリート２０を打設して形成されるコンクリート構造物の天端面を決めるための天端位置決め具１０であって、打設後のコンクリート２０内に挿入される棒状の本体１１と、この棒状本体１１の側面に形成した挿入補助部１２とにより構成したこと。【選択図】図１
2006316418.tif 000002
【特許請求の範囲】
【請求項１】
コンクリートを打設して形成されるコンクリート構造物の天端面を決めるための天端位置決め具であって、
打設後の前記コンクリート内に挿入される棒状の本体と、この棒状本体の側面に形成した挿入補助部とにより構成したことを特徴とする天端位置決め具。
【請求項２】
前記挿入補助部は、ネジ部であることを特徴とする請求項１に記載の天端位置決め具。
【請求項３】
前記挿入補助部は、複数の羽根板によって構成したことを特徴とする請求項１に記載の天端位置決め具。
【請求項４】
前記挿入補助部は、スクリュー羽根であることを特徴とする請求項１に記載の天端位置決め具。
【請求項５】
前記本体の上部側面に滑り止めを形成したことを特徴とする請求項１〜請求項４のいずれかに記載の天端位置決め具。
【請求項６】
前記本体の上面にドライバー係止部を形成したことを特徴とする請求項１〜請求項５のいずれかに記載の天端位置決め具。
【発明の詳細な説明】
【技術分野】
【０００１】
本発明は、コンクリートを打設して構築される土台や基礎等のコンクリート構造物を施工する際に利用されて、このコンクリート構造物の天端面を規定するために使用される天端位置決め具に関するものである。
【背景技術】
【０００２】
例えば、完全に水平な天端上面が必要な基礎をコンクリートによって構築する場合、コンクリートが固化する際の収縮や骨材の存在等によって、打設面が完全な平面にはならないことに注意が必要である。そこで、一般的には、図１にも示すように、まずコンクリートによって設計天端よりも少し低い天端のコンクリート構造物を施工し、その上に、モルタルを打設してコテで均して天端面を形成するか、流動性に優れて完全な平面が形成できる「レベリング材」を流し込み、このレベリング材によって完全水平な天端面を形成するようにしている。なお、レベリング材は、生コンクリートの流動性を良くしたものと考えればよいものであるが、コンクリート程の収縮がないものである。
【０００３】
このようなモルタルのコテ均しは勿論、レベリング材の流し込みにあたっては、当然にその流し量が問題であり、設計された通りの水平面（天端面）を形成するようにしなければならない。そこで、従来では、特許文献１〜特許文献３に記載されているような位置決め具が採用されてきているのである。
【特許文献１】特開平０７−１５８２７６号公報、要約、代表図
【特許文献２】特開平０７−１８９４８９号公報、要約、代表図
【特許文献１】特開平１０−２５２２７８号公報、要約、代表図
【発明の開示】
【発明が解決しようとする課題】
【０００４】
特許文献１に記載された「レベル設定用ビスの支持具」は、「ビスによるレベル出しを行うこととするとともに、このレベル設定用ビスの設置を容易に行うことができ、且つ、コンクリートが硬化した後でもレベル出しを行うことができ、さらには、レベルを設定した後に狂うことのないレベル出し方法とそのための設定用ビスの支持具を提供する」ことを目的としてなされて、図６に示すように、「レベル設定用のビス１２をねじ込み可能で、且つ、そのビス１２を任意の高さで保持できる保持力を備えた支持具１１を、コンクリート１４へ埋設して、前記ビス１２のねじ込み量を調整してレベル出しを行なうもの」といった構成を有したものである。
【０００５】
このような特許文献１の「レベル設定用ビスの支持具」であると、構成が非常に簡単であるから安価に提供できるという利点はあるものの、「支持具１１」が「ビス１２」の直径より随分大きな形状のものであるため、打設後のコンクリート内に挿入することはそれ程簡単ではなく、しかも無理に押し込んだために山盛りになった生コンクリートが自然に均されるときの流動性によって位置が変わり易いものであると考えられる。
【０００６】
また、特許文献２に記載された「天端出し補助具」は、「基礎工事での基礎の天端ならしに際して利用される天端出し装置の補助具において天端出し補助具の、コンクリートないしはモルタルへの埋入を容易にし、天端出し作業の簡易化ないしは天端ならしの高精度を実現する」ことを目的として、図７に示すように、「長手棒状の補助具本体に、その上端部に開口する受ネジ穴を具備させ、この受ネジ穴に調整ネジ体を進退可能に螺合させると共に、補助具本体１の上部に、補助具本体に対し直角方向、水平に延びる上羽根部２が付設され、補助具本体の下部に、補助具本体に対し直角方向、垂直に延び且つ下向きに先鋭に設けられた下羽根部が付設されてなる」構成を有したものである。
【０００７】
この特許文献２に記載された「天端出し補助具」は、「補助具本体に対し直角方向、水平に延びる上羽根部２」が付設してあるため、この「上羽根部２」が当該補助具のコンクリート内への挿入が非常に困難になるものと思われる。むしろ、この「上羽根部２」は、補助具本体１が垂直になるように打設後のコンクリート上面に載置されるものであって、コンクリート内に埋設されるものではなく、実際の天端調整は、受ネジ穴に進退可能に螺合させてある「調整ネジ体５」を進退させることによって行うものである。
【０００８】
さらに、特許文献３に記載された「柱脚・土台のレベル調整金具」は、「柱脚や土台を基礎コンクリート上へ設置する際のレベル出しが容易で、しかも安価なレベル出し金具を提供する」ことを目的としてなされたもので、図８に示すように、「基礎コンクリート１１へ埋設される高ナット１の下端へ、その高ナット１のネジ穴３を塞ぐとともに沈下防止用の底板２を固着し、かつ、高ナット１の上端から、廻り止めナット５を螺合した調整ボルト４をねじ込むようにしたもの」といった構成を有したものである。
【０００９】
この特許文献３の「柱脚・土台のレベル調整金具」も、「沈下防止用の底板２」を有するものであって、全体を打設された直後のコンクリート内に挿入されるものではなく、「沈下防止用の底板２」によって「高ナット１」を垂直に支持するようにしたものである。そうなると、この特許文献３の「レベル調整金具」も、特許文献２の「天端出し補助具」と同様な課題を抱えているものである。それだけでなく、この特許文献３の「柱脚・土台のレベル調整金具」は、「沈下防止用の底板２」によって「高ナット１」を垂直に支持するようにしたものであるから、この「高ナット１」の高さ調整が「底板２」上であって当該高ナット１の高さ範囲程度の間の調整しかできず、高さ調整範囲の非常に小さいものとなっていると考えられる。
【００１０】
そこで、本発明者等は、簡単に構成できて、コンクリートの固化時にも安定しており、基礎等のコンクリート構造物の天端出しが簡単に行えるような治具とするにはどうしたらよいか、について種々検討を重ねてきた結果、本発明を完成したのである。
【００１１】
すなわち、本発明の目的とするところは、簡単に構成できて、コンクリートの固化時にも安定状態を維持することができ、しかも基礎等のコンクリート構造物の天端出しが簡単に行える天端位置決め具を提供することにある。
【課題を解決するための手段】
【００１２】
以上の課題を解決するために、まず、請求項１に係る発明の採った手段は、後述する最良の形態の説明中において使用する符号を付して説明すると、
「コンクリート２０を打設して形成されるコンクリート構造物の天端面を決めるための天端位置決め具１０であって、
打設後のコンクリート２０内に挿入される棒状の本体１１と、この棒状本体１１の側面に形成した挿入補助部１２とにより構成したことを特徴とする天端位置決め具１０」
である。
【００１３】
すなわち、この請求項１に係る天端位置決め具１０は、図１の（ロ）に示すように、その本体１１の下端を打設後のコンクリート２０内に差し込まれるものであり、この本体１１の上端が、コンクリート２０の固化後に打設されるレベリング材２１の上面を示すものとなるものである。つまり、この天端位置決め具１０は、その本体１１の上端がレベリング材２１の規定上面を示すような深さにまで、打設後のコンクリート２０内に差し込まれるものである。
【００１４】
この天端位置決め具１０の、打設後のコンクリート２０内への差し込みは、その本体１１が「棒状」であることから、これを指先で摘んで回転させることにより、簡単に行える。特に、図１〜図５に示す最良形態の本体１１では、その下端を図示しているように尖ったものとしてあるから、コンクリート２０内の砂利等の骨材を簡単に回避できてコンクリート２０内への差し込みが容易になっている。
【００１５】
そして、この天端位置決め具１０を構成している本体１１には、図１〜図５に示すように、挿入補助部１２が形成してあったから、この挿入補助部１２が当該天端位置決め具１０を回転させたときにそのコンクリート２０内への挿入を補助することになるのである。勿論、天端位置決め具１０の上端が、図１中の点線で示したレベリング材２１の上面に対して深く入り過ぎた場合には、挿入したときとは逆の回転操作を行えば、この挿入補助部１２の作用によって当該天端位置決め具１０全体が持ち上がってくることになるのである。
【００１６】
以上のような天端位置決め具１０のコンクリート２０内への差し込みは多数の天端位置決め具１０についてなされるのであるが、コンクリート２０が打設される型枠にレベリング材２１の上面を規定する道糸を張設しておき、この道糸に本体１１の上端が接するように行われる。勿論、他の挿入方法として、レベリング材２１の規定面から本体１１の上端が少し出る程度に各天端位置決め具１０の予備挿入をしておき、これらの各天端位置決め具１０の上端に定規等を当てて押し付けることも採用し得る。
【００１７】
コンクリート２０内に挿入された天端位置決め具１０においては、その挿入中心部分が本体１１であるため、生コンクリート２０から大きな浮力を受けることはなく、固化時のコンクリート２０における収縮による影響、つまり位置ズレが生ずることもないものとなっている。そして、コンクリート２０の固化後においては、本体１１の周囲に形成してあった挿入補助部１２によって固化したコンクリート２０に対する抜け止めがなされるのであり、当該天端位置決め具１０のコンクリート２０に対する固定が確実になされるのである。
【００１８】
従って、この請求項１の天端位置決め具１０は、製造も挿入操作も簡単にできて、コンクリート２０の固化時にも安定状態を維持することができ、しかも基礎等のコンクリート構造物の天端出しが簡単に行えるものとなっているのである。
【００１９】
また、上記課題を解決するために、請求項２に係る発明の採った手段は、上記請求項１に記載の天端位置決め具１０について、
「挿入補助部１２は、ネジ部１２ａであること」
としたものである。
【００２０】
すなわち、この請求項２の天端位置決め具１０では、図１に示すように、挿入補助部１２をネジ部１２ａとしたものであり、これにより、挿入補助部１２そのものを、樹脂の型成形、あるいは金属棒の機械加工で簡単に形成できるものである。
【００２１】
挿入補助部１２をネジ部１２ａとしたことによって、当該天端位置決め具１０の生コンクリート２０内へのネジ込み挿入が簡単に行えるのであり、当該天端位置決め具１０を回転させることにより、レベリング材２１の規定上面に対する微妙な位置調整を簡単に行えるのである。また、このネジ部１２ａによって、固化後のコンクリート２０に対する抜け止めも確実になっていることは言うまでもない。
【００２２】
勿論、この挿入補助部１２であるネジ部１２ａとしては、図１に示したような「ネジ溝」であってもよいし、「ネジ山」を構成する「ネジ突条」であってもよいものであり、何れの場合も、当該天端位置決め具１０の生コンクリート２０内へのネジ込み挿入が簡単に行える。
【００２３】
従って、この請求項２の天端位置決め具１０は、上記請求項１のそれと同様な機能を発揮する他、ネジ込み操作をより簡単に行えるものとなっている。
【００２４】
さらに、上記課題を解決するために、請求項３に係る発明の採った手段は、上記請求項１に記載の天端位置決め具１０について、
「挿入補助部１２は、複数の羽根板１２ｂによって構成したこと」
としたものである。
【００２５】
すなわち、この請求項３の天端位置決め具１０では、図２に示すように、挿入補助部１２を複数の羽根板１２ｂによって構成したものであり、各羽根板１２ｂは、図２の（イ）及び（ロ）に示すように、所定の隙間を形成しながら、本体１１に対して螺旋状となるように一体化したものである。
【００２６】
これらの各羽根板１２ｂは、その間に隙間を存在させながら螺旋状に位置しているから、当該天端位置決め具１０を回転させて生コンクリート２０内に挿入すれば、コンクリート２０内の骨材のような邪魔物が各羽根板１２ｂ間に入って侵入の邪魔になることがなくなるとともに、天端位置決め具１０はその回転によって自動的にコンクリート２０内に挿入されていくことになるのである。
【００２７】
従って、この請求項３の天端位置決め具１０も、上記請求項１のそれと同様な機能を発揮する他、ネジ込み操作をより簡単に行えるものとなっている。
【００２８】
そして、請求項４に係る発明の採った手段は、上記請求項１に記載の天端位置決め具１０について、
「挿入補助部１２は、スクリュー羽根１２ｃであること」
としたものである。
【００２９】
すなわち、この請求項４の天端位置決め具１０では、図３及び図４に示すように、挿入補助部１２を連続したスクリュー羽根１２ｃによって構成したものであり、例えば図３の（イ）及び（ロ）に示すように、本体１１に対して螺旋状となるように一体化したものである。
【００３０】
このスクリュー羽根１２ｃは、螺旋状に位置しているから、当該天端位置決め具１０を回転させて生コンクリート２０内に挿入すれば、スクリュー羽根１２ｃが、コンクリート２０及びその中の骨材に食い込んでいき、天端位置決め具１０はその回転によって自動的にコンクリート２０内に挿入されていくことになるのである。
【００３１】
従って、この請求項４の天端位置決め具１０も、上記請求項１のそれと同様な機能を発揮する他、ネジ込み操作をより簡単に行えるものとなっている。
【００３２】
また、請求項５に係る発明の採った手段は、上記請求項１〜請求項４のいずれかに記載の天端位置決め具１０について、
「本体１１の上部側面に滑り止め１３を形成したこと」
である。
【００３３】
すなわち、本発明に係る天端位置決め具１０は、基本的にはその本体１１を回転させて生コンクリート２０内に挿入するものであるから、この回転操作を指で摘んで行い易くするための滑り止め１３を、図２の（ロ）あるいは図４の（ロ）に示すように形成したものである。
【００３４】
つまり、この天端位置決め具１０においては、この滑り止め１３によって指あるいは手袋に対する摩擦を確実に発揮させるようにしたものであり、本体１１を指等で掴んだ回転操作を確実にしているものである。
【００３５】
従って、この請求項５に係る天端位置決め具１０は、上記請求項１〜請求項４のいずれかに係るそれと同様な機能を発揮する他、本体１１の指による回転操作を簡単かつ確実に行えるものとなっているのである。
【００３６】
さらに、請求項６に係る発明の採った手段は、上記請求項１〜請求項５のいずれかに記載の天端位置決め具１０について、
「本体１１の上面にドライバー係止部１４を形成したこと」
である。
【００３７】
すなわち、この請求項６に係る天端位置決め具１０は、その本体１１をドライバーによって回転操作をすることもできるようにしたものであり、そのために、図２及び図４の各（イ）に示すように、本体１１の上面にドライバー係止部１４を形成したものである。
【００３８】
このドライバー係止部１４は、図示したような「プラスドライバー」用だけでなく、図示はしていないが「ナイナスドライバー」用のものに形成して実施してもよいことは言うまでもない。
【００３９】
従って、この請求項６に係る天端位置決め具１０は、上記請求項１〜請求項５のいずれかに係るそれと同様な機能を発揮する他、本体１１のドライバーによる回転操作を簡単かつ確実に行えるものとなっているのである。
【発明の効果】
【００４０】
すなわち、本発明に係る天端位置決め具１０は、
「コンクリート２０を打設して形成されるコンクリート構造物の天端面を決めるための天端位置決め具１０であって、
打設後のコンクリート２０内に挿入される棒状の本体１１と、この棒状本体１１の側面に形成した挿入補助部１２とにより構成したこと」
にその構成上の主たる特徴があり、これにより、製造も挿入操作も簡単にできて、コンクリート２０の固化時にも安定状態を維持することができ、しかも基礎等のコンクリート構造物の天端出しが簡単に行える天端位置決め具１０を提供することができるのである。
【発明を実施するための最良の形態】
【００４１】
次に、上記のように構成した各請求項に係る発明を、図面に示した最良の形態である天端位置決め具１０について説明すると、図１には、本発明に係る天端位置決め具１０を打設後のコンクリート２０内に挿入したときの様子を示す縦断面図が示してある。
【００４２】
この天端位置決め具１０は、その全体を合成樹脂を材料として一体成形するものであるが、勿論、金属等の他の材料によって形成して実施してもよいものである。また、この天端位置決め具１０は、図１に示すように、生コンクリート２０内に挿入される棒状本体１１と、この本体１１の中程表面に形成した挿入補助部１２とにより主として構成してある。勿論、本体１１はコンクリート２０内に挿入されるものであるから、図１〜図５に示したように、その下端を尖らせたものとすることが有利である。
【００４３】
本体１１の外周に形成した挿入補助部１２は、図１あるいは図５に示したようなネジ部１２ａ、図２に示したような螺旋状に配置される複数の羽根板１２ｂ、そして、図３及び図４に示したようなスクリュー羽根１２ｃによって種々形成されるものである。
【００４４】
挿入補助部１２をネジ部１２ａとした場合には、挿入補助部１２そのものを、樹脂の型成形、あるいは金属棒の機械加工で簡単に形成でき、このネジ部１２ａによって、当該天端位置決め具１０を回転させたとき、レベリング材２１の規定上面に対する微妙な位置調整を簡単に行えるのであり、固化後のコンクリート２０に対する抜け止めも確実にすることができる。
【００４５】
挿入補助部１２を、螺旋状に位置した複数の羽根板１２ｂによって構成した場合には、当該天端位置決め具１０を回転させて生コンクリート２０内に挿入すると、コンクリート２０内の骨材のような邪魔物が各羽根板１２ｂ間に入って侵入の邪魔になることがなく、天端位置決め具１０はその回転によって自動的にコンクリート２０内に挿入されていくことになる。
【００４６】
挿入補助部１２を連続したスクリュー羽根１２ｃによって構成したばあいには、当該天端位置決め具１０を回転させて生コンクリート２０内に挿入すれば、スクリュー羽根１２ｃが、コンクリート２０及びその中の骨材に食い込んでいき、天端位置決め具１０はその回転によって自動的にコンクリート２０内に挿入されていくことになる。
【００４７】
そして、この天端位置決め具１０を構成している本体１１の上部側面には、図２或いは図４の各（ロ）に示したように、滑り止め１３が形成してある。この滑り止め１３は、当該天端位置決め具１０を回転させるための指、あるいはこれに嵌めている手袋に対する摩擦力を大きくするためのものであり、天端位置決め具１０の回転操作を簡単かつ確実に行えるようにしているものである。
【００４８】
さらに、当該天端位置決め具１０を構成してる本体１１の上端には、図２及び図４の各（イ）に示したように、この本体１１をドライバーによって回転操作をすることもできるようにしたドライバー係止部１４を形成したものであるが、このドライバー係止部１４は、図示したような「プラスドライバー」用だけでなく、図示はしていないが「ナイナスドライバー」用のものに形成して実施してもよい。
【図面の簡単な説明】
【００４９】
【図１】本発明に係る天端位置決め具をコンクリート内に挿入した状態の正面図である。
【図２】同天端位置決め具の他の例を示すもので、（イ）は平面図、（ロ）は正面図である。
【図３】同天端位置決め具の別例を示すもので、（イ）は平面図、（ロ）は正面図である。
【図４】同天端位置決め具のさらに他の例を示すもので、（イ）は平面図、（ロ）は正面図である。
【図５】同天端位置決め具の他の別例を示す斜視図である。
【図６】従来例を示す断面図である。
【図７】別の従来例を示す正面図である。
【図８】さらに別の従来例を示す斜視図である。
【符号の説明】
【００５０】
１０    天端位置決め具
１１    本体
１２    挿入補助部
１２ａ  ネジ部
１２ｂ  羽根板
１２ｃ  スクリュー羽根
１３    滑り止め
１４    ドライバー係止部
２０    （生）コンクリート
２１    レベリング材
【図１】
2006316418.tif 000003
【図２】
2006316418.tif 000004
【図３】
2006316418.tif 000005
【図４】
2006316418.tif 000006
【図５】
2006316418.tif 000007
【図６】
2006316418.tif 000008
【図７】
2006316418.tif 000009
【図８】
2006316418.tif 000010